(57)【要約】      （修正有）【課題】各箱を積み重ねた状態の容器の容積よりも小さい収納スペースで各箱を収納可能にする積み重ね容器を提供する。【解決手段】３個の容器１１０，１２０，１３０からなる積み重ね容器１００であって、１番目の容器１１０の上に２番目の容器１２０を、２番目の容器１２０の上に３番目の容器１３０を積み重ねることが可能であり、１番目の容器１１０は２番目の容器１２０の内壁に嵌合可能な外形を有し、２番目の容器１２０は３番目の容器１３０の内壁に嵌合可能な外形を有している。【選択図】図１
0003188153.tif 000002
【実用新案登録請求の範囲】
【請求項１】
Ｎ（Ｎは３以上の整数）個の容器からなる積み重ね容器であって、
Ｍ番目（Ｍは１以上かつ（Ｎ−１）以下の整数）の容器の上に（Ｍ＋１）番目の容器を積み重ねることが可能であり、
Ｌ番目（Ｌは１以上かつ（Ｎ−１）以下の整数）の容器は（Ｌ＋１）番目の容器の内壁に嵌合可能な外形を有していることを特徴とする積み重ね容器。
【請求項２】
前記Ｎ個の容器の各々は円形の底面と当該底面から斜め上方に延びる同一傾斜角度の側壁とからなるものであることを特徴とする請求項１に記載の積み重ね容器。
【請求項３】
前記Ｎ個の容器のうち、少なくとも１番目の容器は底面を有していることを特徴とする請求項１に記載の積み重ね容器。
【請求項４】
前記Ｍ番目の容器の上縁及び前記（Ｍ＋１）番目の容器の底面の何れか一方には凸部、他方には前記凸部が嵌合可能な凹部が形成されていることを特徴とする請求項１乃至３の何れか一項に記載の積み重ね容器。
【請求項５】
前記Ｍ番目の容器の上縁及び前記（Ｍ＋１）番目の容器の底面との間に装着されるパッキンをさらに備えることを特徴とする請求項１乃至４の何れか一項に記載の積み重ね容器。
【請求項６】
前記Ｎ個の容器は磁石が吸着可能な金属でつくられており、
前記Ｍ番目の容器の上縁及び前記（Ｍ＋１）番目の容器の底面の少なくとも何れか一方には磁気層が形成されていることを特徴とする請求項１乃至５の何れか一項に記載の積み重ね容器。
【考案の詳細な説明】
【技術分野】
【０００１】
本考案は複数個の容器を相互に積み重ねることができる積み重ね容器に関する。
【背景技術】
【０００２】
この種の積み重ね容器の一例としては特開平１０−８５１１２号公報に記載されたものがある。
【０００３】
同公報に記載された積み重ね容器においては、全く同一形状の複数個の箱を上下方向に積み重ね、最上位置の箱に蓋を被せることにより、飾り箱が形成されている。
【先行技術文献】
【特許文献】
【０００４】
【特許文献１】特開平１０−８５１１２号公報
【考案の開示】
【考案が解決しようとする課題】
【０００５】
しかしながら、上記のような従来の積み重ね容器を収納する際には、大きな収納スペースが必要であるという問題点があった。具体的には、各箱を積み重ねた状態で積み重ね容器を収納する場合であっても、あるいは、積み重ね容器を各箱に分解した状態で各箱毎に収納する場合であっても、結局は、積み重ね容器と同一容積の収納スペースを必要としていた。
【０００６】
本考案はこのような従来の積み重ね容器における問題点に鑑みてなされたものであり、各箱を積み重ねた状態の積み重ね容器の容積よりも小さい収納スペースで各箱を収納することができる積み重ね容器を提供することを目的とする。
【課題を解決するための手段】
【０００７】
上記の目的を達成するため、本考案は、Ｎ（Ｎは３以上の整数）個の容器からなる積み重ね容器であって、Ｍ番目（Ｍは１以上かつ（Ｎ−１）以下の整数）の容器の上に（Ｍ＋１）番目の容器を積み重ねることが可能であり、Ｌ番目（Ｌは１以上かつ（Ｎ−１）以下の整数）の容器は（Ｌ＋１）番目の容器の内壁に嵌合可能な外形を有していることを特徴とする積み重ね容器を提供する。
【０００８】
前記Ｎ個の容器の各々は円形の底面と当該底面から斜め上方に延びる同一傾斜角度の側壁とからなるものであることが好ましい。
【０００９】
前記Ｎ個の容器のうち、少なくとも１番目の容器は底面を有していることが好ましい。
【００１０】
前記Ｍ番目の容器の上縁及び前記（Ｍ＋１）番目の容器の底面の何れか一方には凸部、他方には前記凸部が嵌合可能な凹部が形成されていることが好ましい。
【００１１】
前記Ｍ番目の容器の上縁及び前記（Ｍ＋１）番目の容器の底面との間に装着されるパッキンをさらに備えることが好ましい。
【００１２】
前記Ｎ個の容器は磁石が吸着可能な金属でつくられており、前記Ｍ番目の容器の上縁及び前記（Ｍ＋１）番目の容器の底面の少なくとも何れか一方には磁気層が形成されていることが好ましい。
【考案の効果】
【００１３】
例えば、本考案に係る積み重ね容器を３個の容器で構成した場合、第一容器、第二容器及び第三容器を下からこの順番に積み重ねることが可能である。
【００１４】
さらに、本考案に係る積み重ね容器においては、第二容器の内部に第一容器を収納可能であり、さらに、第三容器の内部に第二容器を収納可能である。このため、第二容器の内部に第一容器を、第三容器の内部に第二容器をそれぞれ収納した状態においては、本考案に係る積み重ね容器は第三容器と同一の容積のスペースに収納されることになる。すなわち、第一容器、第二容器及び第三容器からなる積み重ね容器は第三容器と同一容積の収納容積があれば第一容器、第二容器及び第三容器を全て収納することが可能である。
【００１５】
従来の積み重ね容器においては、各箱を積み重ねた状態で積み重ね容器を収納する場合であっても、あるいは、積み重ね容器を各箱に分解した状態で各箱毎に収納する場合であっても、結局は、積み重ね容器と同一容積の収納容積を必要としていた。
【００１６】
これに対して、本考案に係る積み重ね容器によれば、従来の積み重ね容器と比較して、より小さいスペースで全ての箱を収納することが可能である。具体的には、第三容器と同一容積の収納スペースの内部に第一容器、第二容器及び第三容器を全て収納することが可能である。
【図面の簡単な説明】
【００１７】
【図１】本考案の第一の実施形態に係る積み重ね容器の斜視図である。
【図２】図１のＡ−Ａ線における断面図である。
【図３】本考案の第一の実施形態に係る積み重ね容器を構成する第一容器、第二容器及び第三容器を収納した状態を示す斜視図である。
【図４】図３のＢ−Ｂ線における断面図である。
【図５】本考案の第二の実施形態に係る積み重ね容器の断面図（図２と同様の断面図）である。
【図６】本考案の第二の実施形態に係る積み重ね容器を構成する第一容器、第二環状体及び第三環状体を収納した状態を示す断面図（図４と同様の断面図）である。
【図７】本考案の第三の実施形態に係る積み重ね容器の部分的な断面図である。
【図８】本考案の第四の実施形態に係る積み重ね容器の部分的な断面図である。
【図９】本考案の第五の実施形態に係る積み重ね容器の部分的な断面図である。
【考案を実施するための形態】
【００１８】
（第一の実施形態）
図１は本考案の第一の実施形態に係る積み重ね容器１００の斜視図、図２は図１のＡ−Ａ線における断面図である。
【００１９】
図１及び図２に示すように、本実施形態に係る積み重ね容器１００は３個の容器、すなわち、第一容器１１０と、第二容器１２０と、第三容器１３０とからなる。
【００２０】
第一容器１１０、第二容器１２０及び第三容器１３０は何れも円形の底部１１１、１２１、１３１と底部１１１、１２１、１３１から斜め上方に延びる側壁１１２、１２２、１３２とを有しており、上方が開口している。
【００２１】
第一容器１１０、第二容器１２０及び第三容器１３０の各側壁１１２、１２２、１３２の傾斜角度は同一である。
【００２２】
図２に示すように、第二容器１２０の底面１２１の形状は第一容器１１０の最上面の形状と同一である。すなわち、第二容器１２０の底面１２１の外側表面の半径は第一容器１１０の側壁１１２の最大半径（側壁１１２の上縁における半径）と同一である。このため、図２に示すように、第一容器１１０の上に第二容器１２０を載せると、第一容器１１０の側壁１１２と第二容器１２０の側壁１２２とは一直線上に整列する。
【００２３】
さらに、第三容器１３０の底面１３１の形状は第二容器１２０の最上面の形状と同一である。すなわち、第三容器１３０の底面１３１の外側表面の半径は第二容器１２０の側壁１２２の最大半径（側壁１２２の上縁における半径）と同一である。このため、図２に示すように、第二容器１２０の上に第三容器１３０を載せると、第二容器１２０の側壁１２２と第三容器１３０の側壁１３２とは一直線上に整列する。
【００２４】
このように、本実施形態に係る積み重ね容器１００においては、第一容器１１０、第二容器１２０及び第三容器１３０の各々は、第一容器１１０の上に第二容器１２０を、第二容器１２０の上に第三容器１３０をそれぞれ積み重ねることが可能であるような形状を有しており、第一容器１１０、第二容器１２０及び第三容器１３０を下からこの順番に積み重ねると、図１に示すように、逆円錐台形状の容器が形成される。
【００２５】
図３は本実施形態に係る積み重ね容器１００を構成する第一容器１１０、第二容器１２０及び第三容器１３０を収納した状態を示す斜視図、図４は図３のＢ−Ｂ線における断面図である。
【００２６】
図３及び図４に示すように、第一容器１１０の外形は第二容器１２０の内部に嵌合可能な形状をなしている。具体的には、第一容器１１０の底面１１１の外側表面の半径は第二容器１２０の底面１２１の内側表面の半径と同一であり、かつ、第一容器１１０の側壁１１２の傾斜角度は第二容器１２０の側壁１２２の傾斜角度と同一である。
【００２７】
さらに、図３及び図４に示すように、第二容器１２０の外形は第三容器１３０の内部に嵌合可能な形状をなしている。具体的には、第二容器１２０の底面１２１の外側表面の半径は第三容器１２０の底面１３１の内側表面の半径と同一であり、かつ、第二容器１２０の側壁１２２の傾斜角度は第三容器１３０の側壁１３２の傾斜角度と同一である。
【００２８】
このように、本実施形態に係る積み重ね容器１００においては、第二容器１２０の内部に第一容器１１０を収納可能であり、さらに、第三容器１３０の内部に第二容器１２０を収納可能である。
【００２９】
このため、第二容器１２０の内部に第一容器１１０を、第三容器１３０の内部に第二容器１２０をそれぞれ収納した状態においては、図３及び図４に示すように、積み重ね容器１００は第三容器１３０と同一の容積のスペースに収納されることになる。すなわち、第一容器１１０、第二容器１２０及び第三容器１３０からなる積み重ね容器１００は第三容器１３０と同一容積の収納容積があれば第一容器１１０、第二容器１２０及び第三容器１３０を全て収納することが可能である。
【００３０】
従来の積み重ね容器においては、各箱を積み重ねた状態で積み重ね容器を収納する場合であっても、あるいは、積み重ね容器を各箱に分解した状態で各箱毎に収納する場合であっても、結局は、積み重ね容器と同一容積の収納容積を必要としていた。
【００３１】
これに対して、本実施形態に係る積み重ね容器１００によれば、従来の積み重ね容器と比較して、より小さいスペースで全ての箱を収納することが可能である。具体的には、第三容器１３０と同一容積の収納スペースの内部に第一容器１１０、第二容器１２０及び第三容器１３０を全て収納することが可能である。
【００３２】
本実施形態に係る積み重ね容器１００は上記の構造に限定されるものではなく、種々の改変が可能である。
【００３３】
例えば、本実施形態に係る積み重ね容器１００においては、第一容器１１０、第二容器１２０及び第三容器１３０の各底面１１１、１２１、１３１は円形であるが、各底面１１１、１２１、１３１を円形以外の形状にすることも可能である。例えば、四角形その他の多角形、楕円形その他の曲線からなる形状にすることが可能であり、この場合、第一容器１１０、第二容器１２０及び第三容器１３０において対応する側壁は同一傾斜角度に形成される。
【００３４】
また、本実施形態に係る積み重ね容器１００は３個の容器１１０、１２０、１３０からなるものとして構成されているが、本実施形態に係る積み重ね容器１００を構成する容器の個数は３には限定されない。３以上の任意の数を選択することが可能である。
【００３５】
（第二の実施形態）
図５は本考案の第二の実施形態に係る積み重ね容器２００の断面図（図２と同様の断面図）である。
【００３６】
本実施形態に係る積み重ね容器２００は３個の容器、すなわち、第一容器２１０と、第二環状体２２０と、第三環状体２３０とからなる。
【００３７】
第一容器２１０は第一の実施形態における第一容器１１０と同一の形状を有している。
【００３８】
第二環状体２２０は第一の実施形態における第二容器１２０の側壁１２２のみからなる。すなわち、第二環状体２２０は第二容器１２０から底面１２１を除去した形状を有している。
【００３９】
第三環状体２３０は第一の実施形態における第三容器１３０の側壁１３２のみからなる。すなわち、第三環状体２３０は第三容器１３０から底面１３１を除去した形状を有している。
【００４０】
このため、第一の実施形態の場合と同様に、第二環状体２２０の底面の形状は第一容器２１０の最上面の形状と同一である。すなわち、第二環状体２２０の底面の外側表面の半径は第一容器２１０の側壁の最大半径（側壁の上縁における半径）と同一である。このため、図５に示すように、第一容器２１０の上に第二環状体２２０を載せると、第一容器２１０の側壁と第二環状体２２０の側壁とは一直線上に整列し、第一容器２１０の高さと第二環状体２２０の高さの和に等しい高さを有する容器が形成される。
【００４１】
さらに、第三環状体２３０の底面の形状は第二環状体２２０の最上面の形状と同一である。すなわち、第三環状体２３０の底面の外側表面の半径は第二環状体２２０の側壁の最大半径（側壁の上縁における半径）と同一である。このため、図５に示すように、第二環状体２２０の上に第三環状体２３０を載せると、第二環状体２２０の側壁と第三環状体２３０の側壁とは一直線上に整列し、第一容器２１０の高さと第二環状体２２０の高さと第三環状体２３０の高さの総和に等しい高さを有する容器が形成される。
【００４２】
このように、本実施形態に係る積み重ね容器２００においては、第一容器２１０のみを使用する場合、第一容器２１０の上に第二環状体２２０を載せる場合及び第一容器２１０の上に第二環状体２２０及び第三環状体２３０を載せる場合の３種類の容器を形成することが可能である。
【００４３】
図６は本実施形態に係る積み重ね容器２００を構成する第一容器２１０、第二環状体２２０及び第三環状体２３０を収納した状態を示す断面図（図４と同様の断面図）である。
【００４４】
第一の実施形態に係る積み重ね容器１００の場合と同様に、図６に示すように、第一容器２１０の外形は第二環状体２２０の内部に嵌合可能な形状をなしており、第二環状体２２０の外形は第三環状体２３０の内部に嵌合可能な形状をなしている。
【００４５】
このように、本実施形態に係る積み重ね容器２００においては、第二環状体２２０の内部に第一容器２１０を収納可能であり、さらに、第三環状体２３０の内部に第二環状体２２０を収納可能である。
【００４６】
このため、第二環状体２２０の内部に第一容器２１０を、第三環状体２３０の内部に第二環状体２２０をそれぞれ収納した状態においては、図６に示すように、積み重ね容器２００は第三環状体２３０と同一の容積のスペースに収納されることになる。すなわち、第一容器２１０、第二環状体２２０及び第三環状体２３０からなる積み重ね容器２００は第三環状体２３０と同一容積の収納容積があれば第一容器２１０、第二環状体２２０及び第三環状体２３０を全て収納することが可能である。
【００４７】
このように、本実施形態に係る積み重ね容器２００によれば、第一の実施形態に係る積み重ね容器１００と同様に、従来の積み重ね容器と比較して、より小さいスペースで全ての箱を収納することが可能である。具体的には、第三環状体２３０と同一容積の収納スペースの内部に第一容器２１０、第二環状体２２０及び第三環状体２３０を全て収納することが可能である。
【００４８】
（第三の実施形態）
図７は本考案の第三の実施形態に係る積み重ね容器の部分的な断面図である。
【００４９】
本実施形態に係る積み重ね容器においては、例えば、第一の実施形態における第二容器１２０の上縁に半円形状の凸部３０１が形成され、第二容器１２０の上方に位置する第三容器１３０の底面には凸部３０１が嵌合可能な凹部３０２が形成されている。
【００５０】
第二容器の１２０の上に第三容器１３０を載せる場合、第二容器１２０の凸部３０１が第三容器１３０の凹部３０２に嵌合し、第二容器１２０と第三容器１３０との間の結合力が高められる。
【００５１】
なお、第二容器１２０に凹部３０２を、第三容器１３０に凸部３０１をそれぞれ形成することも可能である。
【００５２】
（第四の実施形態）
図８は本考案の第四の実施形態に係る積み重ね容器の部分的な断面図である。
【００５３】
本実施形態に係る積み重ね容器においては、例えば、第一の実施形態における第二容器１２０の上縁及び第三容器１３０の底面にはそれぞれ半円形の凹部４０１が形成されている。第二容器１２０の上に第三容器１３０が載せられると、二つの凹部４０１が上下方向に並び、円形の窪みを形成する。この円形の窪みにはパッキン４０２が組み入れられている。
【００５４】
このように、二つの容器の間にパッキン４０２を組み入れることにより、二つの容器の間の密着性を高めることが可能である。
【００５５】
（第五の実施形態）
図９は本考案の第五の実施形態に係る積み重ね容器の部分的な断面図である。
【００５６】
本実施形態に係る積み重ね容器においては、例えば、第一の実施形態における第二容器１２０及び第三容器１３０は磁石が吸着可能な金属（例えば、鉄）でつくられており、第二容器１２０の上縁には磁気層としてシート状の永久磁石５０１が貼り付けられている。
【００５７】
第二容器１２０の上に第三容器１３０が載せられると、シート状の永久磁石５０１が第三容器１３０の底面１３１に磁気吸着することにより、第二容器１２０と第三容器１３０との間の結合力を高めることができる。
【００５８】
なお、シート状の永久磁石５０１は第二容器１２０の上縁に代えて第三容器１３０の底面１３１に貼り付けてもよく、あるいは、第二容器１２０の上縁と第三容器１３０の底面１３１の双方に貼り付けることもできる。
【符号の説明】
【００５９】
１００  本発明の第一の実施形態に係る積み重ね容器
１１０  第一容器
１２０  第二容器
１３０  第三容器
２００  本発明の第二の実施形態に係る積み重ね容器
２１０  第一容器
２２０  第二環状体
２３０  第三環状体
３０１  凸部
３０２  凹部
４０１  凹部
４０２  パッキン
５０１  永久磁石
【図１】
0003188153.tif 000003
【図２】
0003188153.tif 000004
【図３】
0003188153.tif 000005
【図４】
0003188153.tif 000006
【図５】
0003188153.tif 000007
【図６】
0003188153.tif 000008
【図７】
0003188153.tif 000009
【図８】
0003188153.tif 000010
【図９】
0003188153.tif 000011